【手続補正書】
【提出日】平成16年8月6日(2004.8.6)
【手続補正１】
【補正対象書類名】明細書
【補正対象項目名】特許請求の範囲
【補正方法】変更
【補正の内容】
【特許請求の範囲】
【請求項１】
ユーザが要求する商品の作製の元となる画像データである元画像データを生成する端末と、
上記端末と所定のネットワークを介して接続され、上記端末から送信された上記元画像データに基づく上記商品の注文を受け付ける注文受付装置と、
上記注文受付装置と所定のネットワークを介して接続され、上記元画像データが、作製する上記商品に適した品質であるか否かを判定し、この判定結果に応じて、上記元画像データの品質が上記商品に適したものとなるように所定の画像処理を施す画像処理装置と、
上記画像処理装置と所定のネットワークを介して接続され、上記画像処理装置によって画像処理が施されて得られた画像データに基づいて作製された最終出荷物としての上記商品を出荷する出荷装置とを備えること
を特徴とする商品受注システム。
【請求項２】
上記画像処理装置は、画像処理を施すことができないほど上記元画像データの品質が不十分であるものと判定した場合には、上記元画像データの再生成の必要がある旨を、上記端末に通知すること
を特徴とする請求項１記載の商品受注システム。
【請求項３】
上記画像処理装置は、画像処理を施して得られた画像データを上記商品のプレビュー画像データとして上記端末に送信すること
を特徴とする請求項１記載の商品受注システム。
【請求項４】
上記端末は、少なくとも画像データを含む各種情報を表示する表示手段を有し、
上記端末は、上記画像処理装置から送信された上記画像データを上記表示手段に表示すること
を特徴とする請求項３記載の商品受注システム。
【請求項５】
上記端末と所定のネットワークを介して接続され、上記プレビュー画像データに基づいて最終的に注文された上記商品に対する課金及び決済を行う課金及び決済装置と、
上記注文受付装置と所定のネットワークを介して接続され、上記課金及び決済装置によって課金及び決済が行われるのに応じて、上記端末によって上記注文受付装置に注文された上記商品の出荷を受注する受注装置とを備えること
を特徴とする請求項３記載の商品受注システム。
【請求項６】
上記画像処理装置と所定のネットワークを介して接続され、少なくとも上記元画像データを含む画像データを蓄積する画像蓄積装置を備えること
を特徴とする請求項５記載の商品受注システム。
【請求項７】
上記画像処理装置は、上記プレビュー画像データとして生成した上記画像データに基づいて上記商品としてのデータを作製すること
を特徴とする請求項５記載の商品受注システム。
【請求項８】
上記端末は、被写体に対して移動させながら連続撮影を行うことによって上記元画像データを生成する専用の撮影装置からなる撮影手段を有すること
を特徴とする請求項１記載の商品受注システム。
【請求項９】
上記端末は、撮影機能を有する機器であること
を特徴とする請求項１記載の商品受注システム。
【請求項１０】
上記撮影機能を有する機器は、携帯端末機であること
を特徴とする請求項９記載の商品受注システム。
【請求項１１】
上記端末は、上記撮影機能を有する機器を被写体に対して移動させながら連続又は間歇撮影を行うことによって上記元画像データを生成すること
を特徴とする請求項９記載の商品受注システム。
【請求項１２】
上記端末は、被写体を回転させながら固定された上記撮影機能を有する機器によって連続又は間歇撮影を行うことによって上記元画像データを生成すること
を特徴とする請求項９記載の商品受注システム。
【請求項１３】
上記端末は、上記撮影機能を有する機器を複数台用意し、固定された複数の上記撮影機能を有する機器の撮影タイミングを同期させて同時撮影を行うことによって上記元画像データを生成すること
を特徴とする請求項９記載の商品受注システム。
【請求項１４】
上記画像処理装置は、複数の上記撮影機能を有する機器によって撮影された上記元画像データに基づいて、被写体の３次元形状を算出し、上記商品としての３次元モデルデータを作製すること
を特徴とする請求項１３記載の商品受注システム。
【請求項１５】
上記撮影機能を有する機器は、自己の位置を測定する機能を有するものであり、
上記端末は、測定した位置データを上記元画像データに付随させて上記注文受付装置に送信すること
を特徴とする請求項９記載の商品受注システム。
【請求項１６】
上記撮影機能を有する機器は、自己が向いている方向を測定する機能を有するものであり、
上記端末は、測定した撮影方向データを上記元画像データに付随させて上記注文受付装置に送信すること
を特徴とする請求項９記載の商品受注システム。
【請求項１７】
上記画像処理装置と所定のネットワークを介して接続され、上記撮影機能を有する機器によって撮影された上記元画像データと上記撮影方向データとを対応付けて管理する画像管理装置を備えること
を特徴とする請求項１６記載の商品受注システム。
【請求項１８】
上記撮影機能を有する機器は、撮影しようとする被写体を表示する表示手段を有し、
上記表示手段には、当該表示手段上で上記被写体の中の任意の点を固定するための目安となるマーカが表示されること
を特徴とする請求項９記載の商品受注システム。
【請求項１９】
上記撮影機能を有する機器は、上記被写体が上記表示手段に表示された上記マーカに合わせられた段階で所定のロック操作によって上記被写体と上記マーカとの位置関係を固定すること
を特徴とする請求項１８記載の商品受注システム。
【請求項２０】
上記画像処理装置は、上記元画像データに対する画像処理として明るさ補正及び／又は逆光補正を施すこと
を特徴とする請求項１記載の商品受注システム。
【請求項２１】
上記画像処理装置は、上記元画像データを構成する各フレームにおける被写体の中の任意の１点を注視点として設定し、上記元画像データを構成する各フレーム間で上記注視点が同じ画素位置に保つように、上記注視点に基づいて動き補正処理を施すこと
を特徴とする請求項１記載の商品受注システム。
【請求項２２】
上記画像処理装置は、上記元画像データを構成する各フレームについて、上記注視点の移動量を算出し、上記移動量に基づいて動き補正処理を施すこと
を特徴とする請求項２１記載の商品受注システム。
【請求項２３】
上記ユーザ端末は、上記ユーザによって設定された上記注視点を示す注視点データを上記注文受付装置を介して上記画像処理装置に送信すること
を特徴とする請求項２１記載の商品受注システム。
【請求項２４】
上記元画像データは、撮影又は作成されて得られた静止画像、動画像、視差画像及び／又は擬似視差画像を含む２次元又は３次元の画像データであること
を特徴とする請求項１記載の商品受注システム。
【請求項２５】
ユーザが要求する商品の作製の元となる画像データである元画像データを上記ユーザが所持する端末によって生成し、
上記端末と所定のネットワークを介して接続された注文受付装置により、上記端末から送信された上記元画像データに基づく上記商品の注文を受け付け、
上記注文受付装置と所定のネットワークを介して接続された画像処理装置により、上記元画像データが、作製する上記商品に適した品質であるか否かを判定し、この判定結果に応じて、上記元画像データが上記品質となるように所定の画像処理を施し、
上記画像処理装置と所定のネットワークを介して接続された出荷装置により、上記画像処理装置によって画像処理が施されて得られた画像データに基づいて作製された最終出荷物としての上記商品を出荷すること
を特徴とする商品受注方法。
【請求項２６】
ユーザが要求する商品の作製の元となる画像データである元画像データを生成し、上記元画像データが、作製する上記商品に適した品質であるか否かを判定する端末と、
上記端末と所定のネットワークを介して接続され、上記端末による判定結果を示す情報とともに上記端末から送信された上記元画像データに基づく上記商品の注文を受け付ける注文受付装置と、
上記注文受付装置と所定のネットワークを介して接続され、上記端末から送信された上記判定結果を示す情報に応じて、上記元画像データが上記品質となるように所定の画像処理を施す画像処理装置と、
上記画像処理装置と所定のネットワークを介して接続され、上記画像処理装置によって画像処理が施されて得られた画像データに基づいて作製された最終出荷物としての上記商品を出荷する出荷装置とを備えること
を特徴とする商品受注システム。
【請求項２７】
上記端末は、上記画像処理装置によって画像処理を施すことができないほど上記元画像データの品質が不十分であるものと判定した場合には、上記元画像データの再生成を上記ユーザに促すこと
を特徴とする請求項２６記載の商品受注システム。
【請求項２８】
上記画像処理装置は、画像処理を施して得られた画像データを上記商品のプレビュー画像データとして上記端末に送信すること
を特徴とする請求項２６記載の商品受注システム。
【請求項２９】
上記端末は、少なくとも画像データを含む各種情報を表示する表示手段を有し、
上記端末は、上記画像処理装置から送信された上記画像データを上記表示手段に表示すること
を特徴とする請求項２８記載の商品受注システム。
【請求項３０】
上記端末と所定のネットワークを介して接続され、上記プレビュー画像データに基づいて最終的に注文された上記商品に対する課金及び決済を行う課金及び決済装置と、
上記注文受付装置と所定のネットワークを介して接続され、上記課金及び決済装置によって課金及び決済が行われるのに応じて、上記端末によって上記注文受付装置に注文された上記商品の出荷を受注する受注装置とを備えること
を特徴とする請求項２８記載の商品受注システム。
【請求項３１】
上記画像処理装置と所定のネットワークを介して接続され、少なくとも上記元画像データを含む画像データを蓄積する画像蓄積装置を備えること
を特徴とする請求項３０記載の商品受注システム。
【請求項３２】
上記画像処理装置は、上記プレビュー画像データとして生成した上記画像データに基づいて上記商品としてのデータを作製すること
を特徴とする請求項３０記載の商品受注システム。
【請求項３３】
上記データは、視差画像列データに基づいて作製されるアニメーションデータ、又は上記元画像データにおける被写体の３次元形状を復元した３次元モデルデータであること
を特徴とする請求項３２記載の商品受注システム。
【請求項３４】
上記端末は、被写体に対して移動させながら連続撮影を行うことによって上記元画像データを生成する専用の撮影装置からなる撮影手段を有すること
を特徴とする請求項２６記載の商品受注システム。
【請求項３５】
上記端末は、撮影機能を有する機器であること
を特徴とする請求項２６記載の商品受注システム。
【請求項３６】
上記端末は、被写体を回転させながら固定された上記撮影機能を有する機器によって連続又は間歇撮影を行うことによって上記元画像データを生成すること
を特徴とする請求項３５記載の商品受注システム。
【請求項３７】
上記端末は、上記撮影機能を有する機器を複数台用意し、固定された複数の上記撮影機能を有する機器の撮影タイミングを同期させて同時撮影を行うことによって上記元画像データを生成すること
を特徴とする請求項３５記載の商品受注システム。
【請求項３８】
上記撮影機能を有する機器は、自己が向いている方向を測定する機能を有するものであり、
上記端末は、測定した撮影方向データを上記元画像データに付随させて上記注文受付装置に送信すること
を特徴とする請求項３５記載の商品受注システム。
【請求項３９】
上記画像処理装置と所定のネットワークを介して接続され、上記撮影機能を有する機器によって撮影された上記元画像データと上記撮影方向データとを対応付けて管理する画像管理装置を備えること
を特徴とする請求項３８記載の商品受注システム。
【請求項４０】
上記撮影機能を有する機器は、撮影しようとする被写体を表示する表示手段を有し、
上記表示手段には、当該表示手段上で上記被写体の中の任意の点を固定するための目安となるマーカが表示されること
を特徴とする請求項３５記載の商品受注システム。
【請求項４１】
上記撮影機能を有する機器は、上記被写体が上記表示手段に表示された上記マーカに合わせられた段階で所定のロック操作によって上記被写体と上記マーカとの位置関係を固定すること
を特徴とする請求項４０記載の商品受注システム。
【請求項４２】
上記画像処理装置は、上記元画像データに対する画像処理として明るさ補正及び／又は逆光補正を施すこと
を特徴とする請求項２６記載の商品受注システム。
【請求項４３】
上記画像処理装置は、上記元画像データを構成する各フレームにおける被写体の中の任意の１点を注視点として設定し、上記元画像データを構成する各フレーム間で上記注視点が同じ画素位置に保つように、上記注視点に基づいて動き補正処理を施すこと
を特徴とする請求項２６記載の商品受注システム。
【請求項４４】
上記元画像データは、撮影又は作成されて得られた静止画像、動画像、視差画像及び／又は擬似視差画像を含む２次元又は３次元の画像データであること
を特徴とする請求項２６記載の商品受注システム。
【請求項４５】
ユーザが要求する商品の作製の元となる画像データである元画像データを上記ユーザが所持する端末によって生成し、上記元画像データが、作製する上記商品に適した品質であるか否かを上記端末によって判定し、
上記端末と所定のネットワークを介して接続された注文受付装置により、上記端末による判定結果を示す情報とともに上記端末から送信された上記元画像データに基づく上記商品の注文を受け付け、
上記注文受付装置と所定のネットワークを介して接続された画像処理装置により、上記端末から送信された上記判定結果を示す情報に応じて、上記元画像データが上記品質となるように所定の画像処理を施し、
上記画像処理装置と所定のネットワークを介して接続された出荷装置により、上記画像処理装置によって画像処理が施されて得られた画像データに基づいて作製された最終出荷物としての上記商品を出荷すること
を特徴とする商品受注方法。
【請求項４６】
ユーザが要求する商品の作製の元となる画像データである元画像データを生成し、上記元画像データが、作製する上記商品に適した品質であるか否かを判定するとともに、この判定結果に応じて、上記元画像データが上記品質となるように所定の画像処理を施す端末と、
上記端末と所定のネットワークを介して接続され、上記端末によって画像処理が施されて送信された画像データに基づく上記商品の注文を受け付ける注文受付装置と、
上記注文受付装置と所定のネットワークを介して接続され、上記端末から送信された上記画像データに基づいて作製された最終出荷物としての上記商品を出荷する出荷装置とを備えること
を特徴とする商品受注システム。
【請求項４７】
ユーザが要求する商品の作製の元となる画像データである元画像データを上記ユーザが所持する端末によって生成し、上記元画像データが、作製する上記商品に適した品質であるか否かを上記端末によって判定するとともに、この判定結果に応じて、上記元画像データが上記品質となるように所定の画像処理を上記端末によって施し、
上記端末と所定のネットワークを介して接続された注文受付装置により、上記端末によって画像処理が施されて送信された画像データに基づく上記商品の注文を受け付け、
上記注文受付装置と所定のネットワークを介して接続された出荷装置により、上記端末から送信された上記画像データに基づいて作製された最終出荷物としての上記商品を出荷すること
を特徴とする商品受注方法。